(57)【特許請求の範囲】
【請求項１】
左右対をなす支持体の取付溝に天板の左右両端部を支持させてなるテーブルであって、
前記天板は、左右両端部に前記取付溝に挿入される突条を有したもので、一方の突条のみが一方の取付溝に挿入された水平片持姿勢と、両突条が均等に前記両取付溝に挿入された中立姿勢との間でスライド移動できるように構成されており、
傾斜させた前記天板の一方の突条を対応する一方の取付溝に挿入した状態で当該天板を前記水平片持姿勢まで傾動させることができ、前記天板を前記中立姿勢から降下させる動作により前記突条の下面に設けた凹陥部と前記取付溝の下側の開口縁とを係合させて取付姿勢となし得るように構成されているテーブル。
【請求項２】
前記天板を、前記取付姿勢から、前記天板を少なくとも後端部を持ち上げつつ前記取付溝に沿ってスライド移動させ得るように構成している請求項１記載のテーブル。
【請求項３】
前記両支持体の後端間に後部取付溝を有する後部支持体が設けられているとともに、天板の後端に前記後部取付溝に挿入可能な後部突条が突設されており、前記天板の後部突条を前記後部取付溝に挿入して降下させる動作により、前記後部突条の下面に形成された凹陥部と前記後部取付溝の開口縁とが係合し得るように構成されている請求項２記載のテーブル。
【請求項４】
前記突条の凹陥部が前記取付溝の下側の開口縁に係合した前記取付姿勢において、前記突条の上面と前記取付溝の上側の開口縁との間に、テーブルの上動を禁止するスペーサを介設している請求項１、２又は３記載のテーブル。
【発明の詳細な説明】
【技術分野】
【０００１】
本発明は、ブースの室内等に設置するのに適したテーブルに関する。
【背景技術】
【０００２】
従来から同時通訳用ブース等においては、その室内に通訳者が仕事に使用するテーブルが設置されているものが少なくない（例えば、非特許文献１参照）。
【０００３】
従来、この種のテーブルとしては、ブースの対面する周壁パネル間に天板を架設したものが知られており、天板の左右両端部は周壁パネルの横フレームにねじ止めするものや、ダボを用いて接合しているものが一般的である。
【０００４】
ところが、ねじ止め式のものは、複数個所にねじを螺着して緊締する作業が不可欠であり、組立や分解作業に手間がかかる。
【０００５】
一方、ダボ接合式のものは、例えば、周壁パネルの横フレームの上向き面にダボ孔を形成しておくとともに、天板の両端部に突設した突条の下面にダボを植設しておき、それらのダボをダボ孔に嵌合させることによって天板の左右両端部を対応する横フレームに接合させるようにしている。そのため、天板の左右両端部に別体をなすダボを植設することが必要になって部品点数が増加せざるを得なくなる。また、ダボが突出していると、分解して周壁パネルや天板を重ね合わせて収納庫に収納するような場合に、突出するダボの先端が他のパネル等に衝突して傷つけるという不具合を招き易い。
【０００６】
かかる不具合は、同時通訳用のブースに用いられるテーブルに限らず、他の分野におけるテーブルにおいても存在するものである。
【先行技術文献】
【非特許文献】
【０００７】
【非特許文献１】“同時通訳｜同通機器のレンタルならイトオン｜−株式会社イトオン”、[online]、［令和２年８月４日検索］、インターネット<https://www.itoon-japan.com/同時通訳機器レンタル/2/>
【発明の概要】
【発明が解決しようとする課題】
【０００８】
本発明は、以上説明した課題を同時に解消することを目的としている。
【課題を解決するための手段】
【０００９】
請求項１の発明に係るテーブルは、左右対をなす支持体の取付溝に天板の左右両端部を支持させてなるものであって、前記天板は、左右両端部に前記取付溝に挿入される突条を有したもので、一方の突条のみが一方の取付溝に挿入された水平片持姿勢と、両突条が均等に前記両取付溝に挿入された中立姿勢との間でスライド移動できるように構成されており、傾斜させた前記天板の一方の突条を対応する一方の取付溝に挿入した状態で当該天板を前記水平片持姿勢まで傾動させることができ、前記天板を前記中立姿勢から降下させる動作により前記突条の下面に設けた凹陥部と前記取付溝の下側の開口縁とを係合させて取付姿勢となし得るように構成されているものである。
【００１０】
このようなものであれば、傾斜させた天板の一方の突条を支持体の取付溝に挿入し、天板を回動させて水平片持姿勢とし、スライド移動させて中立姿勢とした後に降下させる一連の動作により取付姿勢とすることで、ねじやダボを用いることなく天板を左右の支持体に支持させることができるので、ねじの装脱作業を伴うことなしに天板の着脱を行うことができ、しかも、ダボの存在により部品点数が増加したり隣接部品に傷をつけたりする不具合を解消することができるテーブルを提供可能である。
【００１１】
請求項２の発明によれば、天板を、取付姿勢から、少なくとも後端部を持ち上げつつ取付溝に沿ってスライド移動させ得るように構成しているので、天板の前後方向の位置決めを容易に行うことができる。
【００１２】
請求項３の発明によれば、前記両支持体の後端間に後部取付溝を有する後部支持体が設けられているとともに、天板の後端に前記後部取付溝に挿入可能な後部突条が突設されており、前記天板の後部突条を前記後部取付溝に挿入して降下させる動作により、前記後部突条の下面に形成された凹陥部と前記後部取付溝の開口縁とが係合し得るように構成されているので、天板の前後方向への移動を禁止した状態で支持体及び後部支持体に支持させることができる。
【００１３】
請求項４の発明によれば、前記突条の凹陥部が前記取付溝の下側の開口縁に係合した前記取付姿勢において、前記突条の上面と前記取付溝の上側の開口縁との間に、テーブルの上動を禁止するスペーサを介設しているので、天板をがたつきなく支持体に支持させることができる。
【発明の効果】
【００１４】
本発明によれば、ねじの装脱作業を伴うことなしに天板の着脱を行うことができ、しかも、ダボの存在により部品点数が増加したり隣接部品に傷をつけたりする不具合を解消することができるテーブルを提供可能である。
【図面の簡単な説明】
【００１５】
【図１】本発明の一実施形態に係る同時通訳ブースを示す斜視図。
【図２】同実施形態に係る同時通訳ブースを示す正面図。
【図３】同実施形態に係る同時通訳ブースを示す左側面図。
【図４】同実施形態に係る同時通訳ブースを示す右側面図。
【図５】同２におけるＸ−Ｘ線に沿った断面図。
【図６】同実施形態に係るテーブルの天板を示す平面図。
【図７】同実施形態に係るテーブルの天板を示す背面図。
【図８】同実施形態に係るテーブルの天板を示す底面図。
【図９】同実施形態に係るテーブルの分解斜視図。
【図１０】同実施形態に係る天板の取付手順を示す説明図。
【図１１】同実施形態に係る天板の取付手順を示す説明図。
【図１２】同実施形態に係る天板の取付手順を示す説明図。
【図１３】同実施形態に係る天板の取付手順を示す説明図。
【図１４】同実施形態に係る天板の取付手順を示す説明図。
【図１５】同実施形態に係る天板の取付手順を示す説明図。
【図１６】同実施形態に係る天板の取付手順を示す説明図。
【図１７】同実施形態に係る天板の取付手順を示す説明図。
【図１８】図１７における要部の拡大図。
【図１９】図１７における要部の拡大図。
【図２０】本発明の他の実施形態に係るテーブルの突条を示す正面図。
【図２１】同実施形態における天板の接続態様を示す図。
【発明を実施するための形態】
【００１６】
本発明の一実施形態を図１〜図１９を参照して説明する。
【００１７】
この実施形態は、本発明を同時通訳ブースＢＴに組み込まれたテーブルＴに適用した場合のものである。
【００１８】
この同時通訳ブースＢＴは、図１〜図５に示すように、複数枚の周壁パネル（例えば第１〜第８の周壁パネルＰ１Ａ〜Ｐ１Ｈ）と、直交する周壁パネルＰ１Ａ〜Ｐ１Ｈ間に介在させた４本のコーナーフレームＦ２Ａ〜Ｆ２Ｄと、例えば３枚の天井パネルＰ３Ａ〜Ｐ３Ｃとを相互に連結することにより構築されたものであり、内部には本発明に係るテーブルＴや椅子Ｃ等が配されている。
【００１９】
第１の周壁パネルＰ１Ａは、図１〜図５に示すように窓付タイプのもので、左右の竪フレームＰ４、Ｐ５と、これら竪フレームＰ４、Ｐ５の上端間に架設した上フレームＰ６と、竪フレームＰ４、Ｐ５の下端間に架設した下フレームＰ７と、窓Ｐ９を形成する上の窓フレームＰ９１及び下の窓フレームＰ９２とを備えたものである。竪フレームＰ４、Ｐ５は、アルミニウム合金等を用いて作られた押し出し成形品であり、ほぼ四角柱状をなしている。上フレームＰ６及び下フレームＰ７は、それぞれ竪フレームＰ４、Ｐ５と同一の断面形状をなすものであり、竪フレームＰ４、Ｐ５と同様にアルミニウム押し出し材等を所望の長さに切断することにより形成したものである。上の窓フレームＰ９１と、下の窓フレームＰ９２は、例えば、上下対称形状をなすもので、下の窓フレームＰ９２が本発明に係るテーブルＴの右の支持体１としての機能を担っている。すなわちこの支持体１は、後述するテーブルＴにおける天板３の右側端部を支持するためのものである。下の窓フレームＰ９２は、同時通訳ブースＢＴの室内側に開口する取付溝１３ａを有した中空体状のもので、同じくアルミニウム押し出し材等により作られている。詳述すれば、この下の窓フレーム９２は、窓Ｐ９を形成する窓壁体Ｐ９３を保持する頂板１１と、不透明な壁体Ｐ８を係合させ保持する底板１２と、ブース内空間ＩＳに臨む内板１３と、ブース外空間ＯＳに面する外板１４とを一体に備えた角柱パイプ状のものである。
【００２０】
以上説明した通り、第１の周壁パネルＰ１Ａは、図１、図２及び図５に示すように、この実施形態では同時通訳ブースＢＴの左側面に配されるもので、前述した左右の竪フレームＰ４、Ｐ５と、上フレームＰ６と、上の窓フレームＰ９１と、下の窓フレームＰ９２と、下フレームＰ７とを備えている。そして、上フレームＰ６と上の窓フレームＰ９１との間、及び、下の窓フレームＰ９２と下フレームＰ７との間に不透明な壁体Ｐ８が配されているとともに、上の窓フレームＰ９１と下の窓フレームＰ９２との間に例えば二枚のアクリル板Ｐ９０からなる窓壁体Ｐ９３が配されている。
【００２１】
第２の周壁パネルＰ１Ｂ及び第３の周壁パネルＰ１Ｃは、図１、図３及び図５に示すように、いずれも同時通訳ブースＢＴの正面に配されており、これら第２及び第３の周壁パネルＰ１Ｂ、Ｐ１Ｃも第１の周壁パネルＰ１Ａと同じく窓付タイプのものである。第１の周壁パネルＰ１Ａと同一又は対応する部分には同一の符号を付して説明を省略する。なお、これら第２、第３の周壁パネルＰ１Ｂ、Ｐ１Ｃの下の窓フレームＰ９２は、それぞれ本発明に係るテーブルＴの右及び左の後部支持体４、５としての機能を担っている。すなわち、これら後部支持体４、５は、後述するテーブルＴにおける天板３の反使用端の右半部及び左半部をそれぞれ支持するためのものである。第２の周壁パネルＰ１Ｂは、第１のコーナーフレームＦ２Ａを介して第１の周壁パネルＰ１Ａに直交状態で接続されている。一方、第３の周壁パネルＰ１Ｃは、第２のコーナーフレームＦ２Ｂを介して後述する第４の周壁パネルＰ１Ｄに直交状態で接続されている。
【００２２】
第４の周壁パネルＰ１Ｄは、図４及び図５に示すように、第１の周壁パネルＰ１Ａと同一の構造を有しており、第１の周壁パネルＰ１Ａと同一又は対応する部分には同一の符号を付して説明を省略する。この周壁パネルＰ１Ｄの下の窓フレームＰ９２は、本発明に係るテーブルＴの左の支持体２としての機能を担っている。すなわちこの支持体２は、後述するテーブルＴにおける天板３の左側端部を支持するためのものである。
【００２３】
第５の周壁パネルＰ１Ｅは、図４及び図５に示すように、第４の周壁パネルＰ１Ｄに隣接して配され、左右の竪フレームＰ４、Ｐ５と、上フレームＰ６と、下フレームＰ７とを備えており、これら竪フレームＰ４、Ｐ５、上フレームＰ６及び下フレームＰ７により区画される領域内に不透明な壁体Ｐ８が配されている。
【００２４】
第６の周壁パネルＰ１Ｆは、図５に示すように、第３のコーナーフレームＦ２Ｃを介して第５の周壁パネルＰ１Ｅに直交状態で接続されており、第５の周壁パネルＰ１Ｅと同様の構成を有している。第５の周壁パネルＰ１Ｅと同一又は対応する部分には同一の符号を付して説明を省略する。
【００２５】
第７の周壁パネルＰ１Ｇは、図５に示すように、第６の周壁パネルＰ１Ｆに隣接して配され、第５の周壁パネルＰ１Ｅと同様の構成を有している。第５の周壁パネルＰ１Ｅと同一又は対応する部分には同一の符号を付して説明を省略する。
【００２６】
第８の周壁パネルＰ１Ｈは、図１、図２及び図５に示すように、第４のコーナーフレームＦ２Ｄを介して第７の周壁パネルＰ１Ｇに直交状態で接続されており、左右の竪フレームＰ４、Ｐ５と、上フレームＰ６とを備え、これら竪フレームＰ４、Ｐ５及び上フレームＰ６により区画される領域内にドア壁体Ｐ８Ｄが配されている。このドア壁体Ｐ８Ｄは、ドア枠Ｐ８７と、このドア枠Ｐ８７の内側に蝶番Ｐ８８を介して開閉可能に配されたドアＰ８９とを備えたものである。そして、この第８の周壁パネルＰ１Ｈは、前述した第１の周壁パネルＰ１Ａに隣接して配されている。
【００２７】
以上説明した第１〜第８の周壁パネルＰ１Ａ〜Ｐ１Ｈは、竪フレームＰ４、Ｐ５同士及び竪フレームＰ４、Ｐ５とコーナーフレームＦ２Ａ〜Ｆ２Ｄとがネジ接合その他適宜な接合手段により着脱可能に接続されており、各周壁パネルＰ１Ａ〜Ｐ１Ｈを分解した状態で現場に搬出入できるようになっている。
【００２８】
ここで、図１は、本実施形態の同時通訳ブースＢＴを示す斜視図である。図２は、この同時通訳ブースＢＴを示す正面図である。図３は、この同時通訳ブースＢＴを示す左側面図である。図４は、この同時通訳ブースＢＴを示す右側面図である。図５は、図２におけるＸ−Ｘ線に沿った断面図である。また、この同時通訳ブースＢＴの説明において、「左」「右」とは、各周壁パネルＰ１Ａ〜Ｐ１Ｈを外面側から見た場合の方向を示している。一方、後述するテーブルＴの説明においては、使用者を主体に「右」、「左」という文言を用いており、天板３の使用者側を「前」、反使用者側を「後」と呼ぶことにする。従って、以下の説明において、「右」、「左」は、前述した同時通訳ブースＢＴの説明における「右」、「左」とは逆である。
【００２９】
このような構成をなす同時通訳ブースＢＴに組み込まれているテーブルＴは、左右対をなす支持体１、２（第１、第４の周壁パネル１Ａ、１Ｄの下の窓フレームＰ９２）の取付溝１３ａ、２３ａに天板３の左右両端部を支持させてなるものである。
【００３０】
天板３は、図６〜図１９に示すように、左右両端部に取付溝１３ａ、２３ａに挿入される突条を有したもので、一方の突条３２のみが一方の取付溝１３ａに挿入された水平片持姿勢（Ｐ）と、両突条３２、３３が均等に両取付溝１３ａ、２３ａに挿入された中立姿勢（Ｑ）との間でスライド移動できるように構成されており、傾斜姿勢（Ｋ）をなす天板３の一方の突条３２を対応する一方の取付溝１３ａに挿入した状態で当該天板３を水平片持姿勢（Ｐ）まで傾動させることができ、天板３を中立姿勢（Ｑ）から降下させる動作により突条３２、３３の下面に設けた凹陥部３６１と取付溝１３ａ、２３ａの下側の開口縁１３ｙ、２３ｙとを係合させて取付姿勢（Ｒ）となし得るように構成されている。
【００３１】
また、左右対をなす支持体１、２の後端間に後部取付溝４３ａ、５３ａを有する右及び左の後部支持体４、５（第２、第３の周壁パネルＰ１Ｂ、Ｐ１Ｃの下の窓フレームＰ９２）がそれぞれ設けられているとともに、天板３の後端に後部取付溝４３ａ、５３ａに挿入可能な右及び左の後部突条３４、３５が突設されており、天板３の後部突条３４、３５を後部取付溝４３ａ、５３ａに挿入して降下させる動作により、後部突条３４、３５の下面に形成された凹陥部３６１と後部取付溝４３ａ、５３ａの開口縁４３ｙ、５３ｙとが係合し得るように構成されている。
【００３２】
そして、突条３２、３３の凹陥部３６１が取付溝１３ａ、２３ａの下側の開口縁１３ｙ、２３ｙに係合した取付姿勢（Ｒ）において、突条３２、３３の上面３２ａ、３３ａと取付溝１３ａ、２３ａの上側の開口縁１３ｘ、２３ｘとの間に、テーブルＴの上動を禁止するスペーサ６を介設している。
【００３３】
以下、このテーブルＴの構成を具体的に説明する。
【００３４】
右の支持体１（第１の周壁パネルＰ１Ａの下の窓フレームＰ９２）は、前述したように、同時通訳ブースＢＴの室内側に開口する取付溝１３ａを有した中空体状のもので、図１９に示すように、窓Ｐ９側に位置する頂板１１と、窓Ｐ９と反対側に位置する底板１２と、これら頂板１１及び底板１２の室内側の縁間に形成された内板１３と、頂板１１及び底板１２の屋外（同時通訳ブースＢＴ外）側の縁間に形成された外板１４とを一体に備えた角柱パイプ状をなし、内板１３に内部空間を室内に開放する取付溝１３ａが形成されている。取付溝１３ａの開口幅は支持体１（窓フレームＰ９２）の上下内法幅よりも小さく設定されており、内板１３の上半部分が取付溝１３ａの上の開口縁１３ｘを形成し、下半部分が取付溝１３ａの下の開口縁１３ｙを形成している。なお、頂板１１には、窓Ｐ９を形成する窓壁体Ｐ９３を保持するための窓枠溝１１ａが形成されている。この実施形態では、窓壁体Ｐ９３が二重構造をなす透明アクリル板Ｐ９０により形成されているため、その窓枠溝１１ａは二枚の透明アクリル板Ｐ９０の下端部を嵌合させるために２本平行に形成されている。底板１２には、長手方向に連続する有底の溝１２ａが形成されている。各溝１２ａは、その奥幅が開口幅よりも大きく形成されており、その溝１２ａにブース内空間ＩＳとブース外空間ＯＳとを区成する不透明な壁体Ｐ８の縁部材Ｐ８１を係合させ保持させている。
【００３５】
左の支持体２（第４の周壁パネルＰ１Ｄの下の窓フレームＰ９２）は、前述したように、同時通訳ブースＢＴの室内側に開口する取付溝２３ａを有した中空体状のもので、図１８に示すように、前述した右の支持体１と左右を反転させた形状をなしている。右の支持体１と同一又は対応する部分には、先頭の１を２に変えた符号を付して説明を省略する。
【００３６】
後部支持体４、５（第２、第３の周壁パネルＰ１Ｂ、Ｐ１Ｃの下の窓フレームＰ９２）は、同時通訳ブースＢＴの室内側に開口する後部取付溝４３ａ、５３ａを有した中空体状のもので、前述した右の支持体１と同様の形状をなしている。右の支持体１と同一又は対応する部分には、先頭の１を４及び５にそれぞれ変えた符号を付して説明を省略する。なお、後部支持体４、５は、左右に振り分けて２つ設けられており、右半領域に配された後部支持体４は第２の周壁パネルＰ１Ｂの下の窓フレームＰ９２としての機能を有し、左半領域に配された後部支持体５は第３の周壁パネルＰ１Ｃの下の窓フレームＰ９２としての機能を有する。
【００３７】
天板３は、天板本体３１と、この天板本体３１の右側面に突設された右の突条３２と、天板本体３１の左側面に突設された左の突条３３と、天板本体の反使用端面に突設された対をなす後部突条３４、３５とを具備している。
【００３８】
天板本体３１は、右側面を形成する右の縦枠体３１ａと、左側面を形成する左の縦枠体３１ｂと、これら縦枠体３１ａ、３１ｂの中間に配された中央の縦枠体３１ｃと、これら縦枠体３１ａ、３１ｂ、３１ｃの前端（使用端）同士を接続する前の横枠体３１ｄと、これら縦枠体３１ａ、３１ｂ、３１ｃの後端（反使用端）同士を接続する後の横枠体３１ｅと、前後の横枠体３１ｄ、３１ｅの間に配された中間の横枠体３１ｆと、これら縦枠体３１ａ、３１ｂ、３１ｃ及び横枠体３１ｄ、３１ｅ、３１ｆの上に載設されたアルミ複合板等により作られた面板３１ｇとを具備してなる。
【００３９】
右の縦枠体３１ａは、頂板３１１と、底板３１２と、左右の側板３１３とを一体に備えてなるアルミニウム合金等を用いて作られた押し出し成形品であり、略四角柱状をなしている。左右の側板３１３の内面側には、部分円筒体状をなす円筒構造体３１４が連設されており、これら円筒構造体３１４内に形成された断面円形をなす幅広溝３１５を、くびれ部を有する幅狭溝３１６を介して側板３１３の外面に連通させている。また、左右の側板３１３の外面における上縁及び下縁には、縁取り部３１７がそれぞれ突設されている。
【００４０】
左の縦枠体３１ｂ、中央の縦枠体３１ｃ、及び横枠体３１ｄ、３１ｅ、３１ｆは、いずれも右の縦枠体３１ａと同一の押し出し成形品を用いて作られたものであり、右の縦枠体３１ａと同一又は相当する部分には同一の符号を付して説明を省略する。
【００４１】
右の突条３２は、図１９に示すように、天板本体３１の右側面に取り付けられたもので、先端部下面に凹陥部３６１を有した突条本体３６と、この突条本体３６の基端から垂下する基板３７とを一体に備えており、突条本体３６と基板３７との間には入隅部３８が形成されている。突条本体３６は、水平に延びる厚板状のもので、その上面には面板３７の縁部を係合させるための段部３６２が形成されている。基板３７は、突条本体３６よりも薄い平板状のもので、上端近傍部及び下端近傍部に凸部３７１を有するとともに、上下方向中央に取付脚３７２を備えている。凸部３７１は、右の縦枠材３１ａの縁取り部３１７の内側に係合し得る位置に突設されている。取付脚３７２は、右の縦枠材３１ａの幅狭溝３１５に挿通される平板部３７３と、幅広溝３１６に係合する膨大部３７４とからなる。この右の突条は、組立途上において、右の縦枠体３１ａの端部からスライド挿入して装着されるものであり、装着状態においては、右の縦枠体３１ａの側板３１３の外面に添接される。装着状態においては、右の突条の凸部３７１が右の縦枠体３１ａの縁取り部３１７に係合して上下の位置決めがなされるとともに、取付脚３７２が右の縦枠体３１ａの幅狭溝３１５及び幅広溝３１６に係り合って当該右の突条３２が天板本体３１から離間するのを禁止している。なお、この実施形態の場合には、右の縦枠体３１ａの側板３１３と、右の突条３２の基板３７との間に隙間３ｓが形成されているので、基板３７に板ばね的な役割を担わせて右の突条３２をがたつきなく天板本体３１に取り付けておくことができるようにしている。
【００４２】
左の突条３３は、図１８に示すように、天板本体３１の左側面に取り付けられたもので、右の突条３２と同じ押し出し成型品により作られている。そして、左の突条３３と天板本体３１との取付構造も右の突条３２に準じたものである。したがって、右の突条３２と同一又は対応する部分には同一の符号を付して説明を省略する。
【００４３】
後部突条３４、３５は、天板本体３１の後端面に取り付けられたもので、右の突条３２と同じ押し出し成型品により作られている。そして、後部突条３４、３５と天板本体３１との取付構造も右の突条３２に準じたものである。したがって、右の突条３２と同一又は対応する部分には同一の符号を付して説明を省略する。なお、後部突条３４、３５は、左右に振り分けて２つ設けられており、右半領域に配された後部突条３４は、第２の周壁パネルＰ１Ｂに対応し、左半領域に配された後部突条３５は、第３の周壁パネルＰ１Ｃに対応している。
【００４４】
次いで、このテーブルＴの組立手順を図１０〜図１７を参照して説明する。
【００４５】
まず、同時通訳ブースＢＴ内に搬入した天板３を、例えば、右端が左端よりも低くなるように傾斜させて一方の支持体１（一方の取付溝１３ａを有する下の窓フレームＰ９２）を備えた第１の周壁パネルＰ１Ａと、他方の支持体２（他方の取付溝２３ａを有する窓フレームＰ９２）を備えた第４の周壁パネルＰ１Ｄとの間に位置させる。
【００４６】
この状態から、図１０に示すように、天板３の右の突条３２を右の支持体１の取付溝１３ａに挿入する。この姿勢を傾斜姿勢（Ｋ）と称する。この状態から天板３の左側を降下させ、図１１に示すように、左の突条３３を他方の取付溝２３ａに対面させる。この姿勢を水平片持姿勢（Ｐ）と称する。その際、右の突条３２の入隅部３８が取付溝１３ａの開口縁１３ｙに係合しているので、天板３は、その入隅部３８を中心に回動する。その水平片持姿勢（Ｐ）から天板３を左へ水平移動させ、図１２に示すように、両突条３２、３３を均等に両取付溝１３ａ、２３ａに挿入させた姿勢とする。この姿勢を中立姿勢（Ｑ）と称する。この中立姿勢（Ｑ）から天板３を降下させる動作により、図１３に示すように、突条３２、３３の下面に設けた凹陥部３６１と取付溝１３ａ、２３ａの下側の開口縁１３ｙ、２３ｙとを係合させる。なお、この動作は、天板３が中立姿勢（Ｑ）に達した時点で重力により自動的に行われる。この姿勢では、天板３は水平な姿勢で左右の支持体１、２間に架設されることになる。この姿勢を取付姿勢（Ｒ）と称する。
【００４７】
取付姿勢（Ｒ）では、天板３を支持体１、２の取付溝１３ａ、２３ａに沿ってスライド移動させることが可能である。天板３の前後移動をも禁止する場合には、図１４に示すように、取付姿勢（Ｒ）から天板３の後端部を持ち上げて後方にスライドさせ、後部突条３４、３５が後部取付溝４３ａ、５３ａに挿入された段階で、その天板３を水平姿勢に戻すと、図１５に示すように、後部突条３４、３５が後部取付溝４３ａ、５３ａの開口縁４３ｙ、５３ｙに係合して天板３の前後移動も禁止されることになる。この姿勢を前後スライドも禁止された拘束取付姿勢（Ｓ）と称する。この状態のままでテーブルＴを使用することも可能であるが、床面の不陸等の影響により天板３の取り付け状態にがたつきが生じる場合には、スペーサ６を用いる。
【００４８】
図１７〜図１９は、スペーサ６を用いた状態を示しており、突条３２、３３の上面３２ａ、３３ａと取付溝１３ａ、２３ａの上側の開口縁１３ｘ、２３ｘとの間に、テーブルＴの上動を禁止するスペーサ６を介設している。スペーサ６は、突条３２、３３の上面３２ａ、３３ａと取付溝１３ａ、２３ａの上側の開口縁１３ｘ、２３ｘとの間に嵌入されるスペーサ本体６１と、このスペーサ本体６１の一端から上方に伸び、支持体１、２（より具体的には頂板１１、２１に設けた凹部１１ｂ、２１ｂ）に係合する上フランジ６２と、スペーサ本体６１の他端から垂下し、突条３２、３３の先端面３２ｂ、３３ｂに添接する下フランジ６３とを少なくとも備えている。このスペーサ６は、組立途上において取付溝１３ａ、２３ａに予め挿入して待機させておく。そして、天板３が取付姿勢（Ｒ）又は拘束取付姿勢（Ｓ）に保持されている状態で、必要に応じてスペーサ６を、図１６に示すように、取付溝１３ａ、２３ａに沿って後方にスライド移動させ、突条３２、３３の上面３２ａ、３３ａと取付溝１３ａ、２３ａの上側の開口縁１３ｘ、２３ｘとの間に嵌入させる。スペーサ６は、各取付溝１３ａ、２３ａに複数個設けておくのが望ましい。
【００４９】
そして、以上と逆の操作を行えば、天板３を支持体１、２（、後部支持体４、５）から取り外すことができるようになっている。
【００５０】
ここで、図６、図７及び図８は、それぞれ天板３の平面図、背面図及び底面図である。図９は、このテーブルＴの分解斜視図であり、図５におけるＹ部を拡大して示している。図１０は天板３を傾斜姿勢（Ｋ）とした状態、図１１は天板３を水平片持姿勢（Ｐ）とした状態、図１２は天板３を中立姿勢（Ｑ）とした状態、図１３は天板３を取付姿勢（Ｒ）とした状態である。これら図１０〜図１３は、図５におけるＺ−Ｚ線に沿った断面図に対応するものであるが、第２及び第３の周壁パネルＰ１Ｂ、Ｐ１Ｃ、並びに天板３の巾方向中間部分は省略している。図１４は図１３に示す状態から天板３の反使用端側を持ち上げた状態の側断面図であり、図１５は天板３を拘束取付姿勢（Ｓ）とした状態の側断面図である。図１４及び図１５は右の後部突条３４の長手方向中央で切断したものである。また、図１４及び図１５には右の後部突条３４と右の後部支持体４との係合態様のみを示しているが、このテーブルＴは左右対称な形状をなしているので、左の後部突条３５と左の後部支持体５との係合態様もこれら図１４及び図１５に示されているものともちろん同様である。図１６は、スペーサ６の挿入態様を示す斜視図であり、図１７は、天板３を拘束取付姿勢（Ｓ）とした上でスペーサ６を挿入した状態の図である。図１７も、図５におけるＺ−Ｚ線に沿った断面図に対応するものであり、第２及び第３の周壁パネルＰ１Ｂ、Ｐ１Ｃ、並びに天板３の巾方向中間部分は省略している。図１８は図１７における左の突条３３と左の支持体２との係合箇所近傍の拡大図であり、図１９は図１７における右の突条３２と右の支持体１との係合箇所近傍の拡大図である。
【００５１】
このような構成のテーブルＴであれば、ねじの装脱作業を伴うことなしに天板３の着脱を行うことができ、しかも、ダボの存在により部品点数が増加したり隣接部品に傷をつけたりする不具合を解消することができる。
【００５２】
すなわち、本実施形態のテーブルＴは、上述したように、傾斜姿勢（Ｋ）の天板３の低い側の端（右端）の突条３２を支持体１の取付溝１３ａに挿入し、天板３回動させて水平片持姿勢（Ｐ）とし、スライド移動させて中立姿勢（Ｑ）とした後に降下させる一連の動作により取付姿勢（Ｒ）とすることで、ねじやダボを用いることなく天板３を左右の支持体１、２に支持させることができる。さらに、これと逆の操作を行うことにより天板３を取り外すことも容易に行うことができる。
【００５３】
また、両支持体１、２の後端間に後部取付溝４３ａ、５３ａを有する後部支持体４、５が設けられているとともに、天板３の後端に後部取付溝４３ａ、５３ａに挿入可能な後部突条３４、３５が突設されており、天板３の少なくとも後端部を持ち上げつつ当該天板３を取付姿勢（Ｒ）から取付溝１３ａ、２３ａに沿ってスライド移動させ、この後部突条３４、３５を後部取付溝４３ａ、５３ａに挿入して降下させる動作により、後部突条３４、３５の下面に形成された凹陥部３６１と後部取付溝４３ａ、５３ａの開口縁４３ｙ、５３ｙとが係合し得るように構成されているので、ねじやダボを用いることなく、簡単な操作で天板３を左右の支持体１、２及び後部支持体４、５により前後左右方向に移動不能に支持させることもできる。
【００５４】
そして、天板３が取付姿勢（Ｒ）又は拘束取付姿勢（Ｓ）に保持されている状態で、突条３２、３３の上面と取付溝１３ａ、２３ａの上側の開口縁１３ｘ、２３ｘとの間に、テーブルＴの上動を禁止するスペーサ６を介設しているので、テーブルＴのがたつきを防止ないし抑制することができる。
【００５５】
なお、本発明は以上に述べた実施形態に限らない。
【００５６】
例えば、支持体は、同時通訳ブースの周壁パネルに設けられたものに限らず、パーティションや建築壁等に設けられたもの等であってもよい。
【００５７】
また、上述した実施形態は天板の左右両側端及び後端を支持体及び後部支持体に支持させた態様のものであるが、天板の左右両側端のみを支持体に支持させた態様のものであってもよい。
【００５８】
上述した実施形態では、天板の突条の上面と取付溝の上側の開口縁との間に、テーブルの上動を禁止するスペーサを介設しているが、請求項１、２又は３に係る発明には、スペーサがないものも含まれる。
【００５９】
さらに、上述した実施形態では２人用のテーブルが想定されているが、１人あるいは３人以上で使用する態様のものであってもよい。多人数用のテーブルの場合、たとえば２人用のメインの天板本体の一端に標準化された１人用のサブ天板本体を適宜個数接続して必要な幅寸法を有する天板を構成するようにしてもよい。その場合、天板本体同士の接合部分近傍に着脱可能な脚を設けるのが望ましい。
【００６０】
加えて、突条は前述した実施形態に示すような下面にのみ凹陥部を有したものに限定されるものではなく、例えば図２０に示す天板Ｘ３の突条Ｘ３２のように、下面と上面の両方にそれぞれ下の凹陥部Ｘ３６１及び上の凹陥部Ｘ３６０を有したものであってもよい。このような突条Ｘ３２であれば、図２１に示すように、複数の天板Ｘ３を接続するための接続手段としても機能させることができる。なお、図２０において、上述した実施形態におけるものに対応する部位には同一の符号を付して説明を省略する。
【００６１】
その他、本発明の趣旨を損ねない範囲で種々に変形してよい。
【符号の説明】
【００６２】
Ｔ…テーブル
１、２…支持体
１３ａ、２３ａ…取付溝
１３ｘ、２３ｘ…取付溝の上側の開口縁
１３ｙ、２３ｙ…取付溝の下側の開口縁
３…天板
３２、３３…突条
３２ａ、３３ａ…突条の上面
３４、３５…後部突条
３６１…凹陥部
４、５…後部支持体
４３ａ、５３ａ…後部取付溝
４３ｙ、５３ｙ…後部取付溝の下側の開口縁
６…スペーサ
（Ｐ）…水平片持姿勢
（Ｑ）…中立姿勢
（Ｒ）…取付姿勢
【要約】
【課題】ねじの装脱作業を伴うことなしに天板の着脱を行うことができ、しかも、ダボの存在により部品点数が増加したり隣接部品に傷をつけたりする不具合を解消することができるテーブルを提供する。
【解決手段】左右対をなす支持体１、２の取付溝１３ａ、２３ａに天板３の左右両端部を支持させてなるテーブルＴにおいて、一端部に設けた一方の突条３２のみが一方の取付溝１３ａに挿入された水平片持姿勢と両端部に設けた両突条３２、３３が均等に両取付溝１３ａ、２３ａに挿入された中立姿勢との間で天板３をスライド移動可能にし、傾斜させた天板３の一方の突条３２を一方の取付溝１３ａに挿入した状態で当該天板３を水平片持姿勢まで傾動可能にし、天板３を中立姿勢から降下させ突条３２の下面に設けた凹陥部３６１と取付溝１３ａの下側の開口縁１３ｙとを係合させて取付姿勢（Ｒ）となし得るようにする。
【選択図】図１３【図１】
0006924454.tif 000002
【図２】
0006924454.tif 000003
【図３】
0006924454.tif 000004
【図４】
0006924454.tif 000005
【図５】
0006924454.tif 000006
【図６】
0006924454.tif 000007
【図７】
0006924454.tif 000008
【図８】
0006924454.tif 000009
【図９】
0006924454.tif 000010
【図１０】
0006924454.tif 000011
【図１１】
0006924454.tif 000012
【図１２】
0006924454.tif 000013
【図１３】
0006924454.tif 000014
【図１４】
0006924454.tif 000015
【図１５】
0006924454.tif 000016
【図１６】
0006924454.tif 000017
【図１７】
0006924454.tif 000018
【図１８】
0006924454.tif 000019
【図１９】
0006924454.tif 000020
【図２０】
0006924454.tif 000021
【図２１】
0006924454.tif 000022